(57)【要約】【課題】画像情報検出部をケース内に収容した画像情報検出用カセッテにおいて、このカセッテを使用しない場合の消費電力を低減する。【解決手段】使用者が搬送のために画像情報検出用カセッテ１の取っ手を保持すると、取っ手保持検知部３１から取っ手保持信号が出力される。走査・読出回路２２から読出信号が出力されていず、外部のシステムコントローラからＸ線レディ信号が出力されていず、解除スイッチ３２から解除信号が出力されていない場合、すなわち画像情報検出用カセッテ１を搬送中で、使用していない場合には、非使用状態判定部２７は、カセッテ１は非使用状態であると判定する。制御部２６は、低消費電力モードを設定し、電力供給抑制部２５は、画像情報検出部１２、読取光照射部１３、検出部駆動部２１、不揮発性メモリ２４、Ｘ線ブザー３４、およびマトリクス表示部３６への電力供給を停止する。【選択図】          図２
2005003756.tif 000002
【特許請求の範囲】
【請求項１】
画像情報を担持した記録光の照射により発生した電荷を蓄積することにより前記画像情報を記録する画像情報検出部と、該画像情報検出部に記録用の電界を付与する検出部駆動手段と、前記画像情報検出部に記録された前記画像情報に応じた画像信号を読み出す読出手段と、前記検出部駆動手段および前記読出手段に電力を供給する電力供給手段と、前記画像情報検出部、前記検出部駆動手段、前記読出手段、および前記電力供給手段を収容するケースとを有する画像情報検出用カセッテにおいて、
該画像情報検出用カセッテが非使用状態であると判定する非使用状態判定手段と、
該非使用状態判定手段により、非使用状態であると判定された場合には、前記検出部駆動手段または前記読出手段への電力供給を抑制する電力供給抑制手段とを備えたことを特徴とする画像情報検出用カセッテ。
【請求項２】
前記ケースに設けられ、搬送時に保持可能な取っ手と、
該取っ手が保持されていることを検知する取っ手保持検知手段とを有し、
前記非使用状態判定手段が、前記取っ手保持検知手段による取っ手保持検知に基づいて、前記画像情報検出用カセッテが非使用状態であると判定するものであることを特徴とする請求項１記載の画像情報検出用カセッテ。
【請求項３】
外部装置と接続可能な接続端子と、
該接続端子が前記外部装置と接続されていないことを検知する非接続検知手段とを有し、
前記非使用状態判定手段が、前記非接続検知手段による非接続検知に基づいて、前記画像情報検出用カセッテが非使用状態であると判定するものであることを特徴とする請求項１記載の画像情報検出用カセッテ。
【請求項４】
外部装置との通信が可能な無線通信手段と、
該無線通信手段の非通信状態を検知する非通信検知手段とを有し、
前記非使用状態判定手段が、前記非通信検知手段による非通信検知に基づいて、前記画像情報検出用カセッテが非使用状態であると判定するものであることを特徴とする請求項１記載の画像情報検出用カセッテ。
【請求項５】
直近の前記記録光の照射後の経過時間を計測し、該経過時間が所定時間を超えていることを検知する時間超過検知手段を有し、
前記非使用状態判定手段が、前記時間超過検知手段による時間超過検知に基づいて、前記画像情報検出用カセッテが非使用状態であると判定するものであることを特徴とする請求項１記載の画像情報検出用カセッテ。
【請求項６】
前記電力供給抑制手段が前記検出部駆動手段または前記読出手段への電力供給を抑制していることを表示する電力供給抑制表示手段を備えたことを特徴とする請求項１から５いずれか１項記載の画像情報検出用カセッテ。
【発明の詳細な説明】
【０００１】
【発明の属する技術分野】
本発明は、画像情報検出部と、該画像情報検出部を収容するケースとを備えてなる画像情報検出用カセッテに関するものである。
【０００２】
【従来の技術】
今日、医療診断等を目的とするＸ線撮影等において、画像情報を担持した記録光（Ｘ線等）の照射により発生した電荷を蓄積することにより画像情報を記録する画像情報検出部を有する画像情報検出装置が各種提案、実用化されている（例えば、特許文献１参照）。
【０００３】
この装置において使用される画像情報検出部としては、種々のタイプのものが提案されているが、蓄積された電荷を外部に読み出す電荷読出プロセスの面から、検出部を読取光により走査して読み出す光走査読出方式のものと、検出部に組み込まれたＴＦＴ（薄膜トランジスタ）等を電気的に走査駆動して読み出す電気走査読出方式のものとが広く知られている。
【０００４】
また、上記の画像情報検出装置をケースに収容した画像情報検出用カセッテも提案されている（例えば、特許文献２参照）。このような画像情報検出用カセッテは、取り扱い易く、また持ち運びが可能であるという利点がある。
【０００５】
【特許文献１】
特開２０００−１０５２９７号公報
【０００６】
【特許文献２】
特開２０００−２１７８０５号公報
【０００７】
【発明が解決しようとする課題】
しかしながら、上記のような画像情報検出用カセッテにおいては、例えばこのカセッテを搬送する場合等、このカセッテを使用しない場合であっても、通常使用時と同様の電力供給がなされていることが多く、このため、消費電力が多いという問題があった。例えば電源としてバッテリーを使用している場合であれば、バッテリーの使用時間が短くなってしまう、あるいはバッテリーの大型化を招くこととなる。
【０００８】
本発明は、上記のような問題点に鑑み、消費電力を低減可能な画像情報検出用カセッテを提供することを目的とするものである。
【０００９】
【課題を解決するための手段】
本発明の画像情報検出用カセッテは、画像情報を担持した記録光の照射により発生した電荷を蓄積することにより前記画像情報を記録する画像情報検出部と、該画像情報検出部に記録用の電界を付与する検出部駆動手段と、前記画像情報検出部に記録された前記画像情報に応じた画像信号を読み出す読出手段と、前記検出部駆動手段および前記読出手段に電力を供給する電力供給手段と、前記画像情報検出部、前記検出部駆動手段、前記読出手段、および前記電力供給手段を収容するケースとを有する画像情報検出用カセッテにおいて、
該画像情報検出用カセッテが非使用状態であると判定する非使用状態判定手段と、該非使用状態判定手段により、非使用状態であると判定された場合には、前記検出部駆動手段または前記読出手段への電力供給を抑制する電力供給抑制手段とを備えたことを特徴とするものである。
【００１０】
なお、上記画像情報検出用カセッテにおいて、「記録光」とは、記録すべき画像情報を担持した電磁波を意味する。具体例としては、被写体の画像情報を担持する記録用の放射線や、該記録用の放射線をシンチレータ（蛍光体）に照射することにより、シンチレータ内で発生される光などを挙げることができる。
【００１１】
なお、「画像信号を読み出す読出手段」は、光学的あるいは電気的に画像情報検出部を走査しつつ、画像情報を読み出すものを意味し、例えば読取光による光走査により画像情報を読み出す場合であれば、読取光による走査および画像信号の読み取りを行う手段であり、一方ＴＦＴ等を電気的に走査駆動して画像情報を読み出す場合であれば、ＴＦＴの走査駆動および画像信号の読み取りを行う手段である。
【００１２】
また、「電力供給手段」とは、例えばバッテリーを内蔵するカセッテであれば、バッテリーおよび電力供給用の配線を意味し、電力が外部電源から供給される場合には、電源端子および電力供給用の配線を意味している。
【００１３】
さらに、「前記検出部駆動手段または前記読出手段への電力供給を抑制する電力供給抑制手段」とは、検出部駆動手段または読出手段に対して、各手段を構成する少なくとも一部の回路への電力供給を低減するあるいは停止することを意味している。なお、上記「一部の回路」として、電力消費量が相対的に多い回路や、電力供給量を定常量へ復帰した場合に、立ち上がりが早い回路等を選択してもよい。
【００１４】
前記ケースに設けられ、搬送時に保持可能な取っ手と、該取っ手が保持されていることを検知する取っ手保持検知手段とを有する場合には、前記非使用状態判定手段は、前記取っ手保持検知手段による取っ手保持検知に基づいて、前記画像情報検出用カセッテが非使用状態であると判定するものを用いることができる。
【００１５】
また、外部装置と接続可能な接続端子と、該接続端子が前記外部装置と接続されていないことを検知する非接続検知手段とを有する場合には、前記非使用状態判定手段としては、前記非接続検知手段による非接続検知に基づいて、前記画像情報検出用カセッテが非使用状態であると判定するものを用いることができる。
【００１６】
なお、「接続端子」としては、種々の構成のものがあるが、例えばＸ線撮影システムへ本画像情報検出用カセッテを用いた場合であれば、Ｘ線照射装置からのＸ線照射タイミングを入力するための接続端子や、あるいはＸ線撮影システム全体を制御するシステムコントローラ等から操作データを入力するための接続端子、撮影条件あるいは画像情報読出条件等の種々の撮影データを入力する接続端子や、外部に設けられた電源から電力を供給するための接続端子等が挙げられる。
【００１７】
さらに、外部装置との通信が可能な無線通信手段と、該無線通信手段の非通信状態を検知する非通信検知手段とを有する場合には、前記非使用状態判定手段として、前記非通信検知手段による非通信検知に基づいて、前記画像情報検出用カセッテが非使用状態であると判定するものを使用することができる。
【００１８】
なお、「無線通信手段の非通信状態」とは、例えば外部装置に取り付けられた無線通信手段との距離が離れてしまったために通信が行えない状態や、あるいは外部装置に取り付けられた無線通信手段のスイッチが切られてしまったため通信が行えない場合等を意味している。
【００１９】
また、直近の前記記録光の照射後の経過時間を計測し、該経過時間が所定時間を超えていることを検知する時間超過検知手段を有する場合であれば、前記非使用状態判定手段として、前記時間超過検知手段による時間超過検知に基づいて、前記画像情報検出用カセッテが非使用状態であると判定するものを用いることもできる。
【００２０】
なお、上記画像情報検出用カセッテは、前記電力供給抑制手段が前記検出部駆動手段または前記読出手段への電力供給を抑制していることを表示する電力供給抑制表示手段を備えてもよい。
【００２１】
【発明の効果】
本発明の画像情報検出用カセッテによれば、画像情報検出用カセッテが非使用状態であると判定する非使用状態判定手段と、該非使用状態判定手段により、非使用状態であると判定された場合には、前記検出部駆動手段または前記読出手段への電力供給を抑制する電力供給抑制手段とを備えることにより、画像情報検出用カセッテが非使用状態であると判定された場合には、自動的に電力供給が抑制されるため、消費電力を少なくすることができる。
【００２２】
上記非使用状態判定手段が、ケースに設けられた取っ手が保持されている事を検知する取っ手保持検知手段による取っ手保持検知に基づいて、前記画像情報検出用カセッテが非使用状態であると判定するものであれば、画像情報検出用カセッテを搬送する際等に、使用者が取っ手を保持すれば、その保持動作に基づいて電力供給が抑制されるので、搬送時等の非使用時の消費電力を少なくすることができる。
【００２３】
また、非使用状態判定手段が、接続端子が外部装置と接続されていないことを検知する非接続検知手段による非接続検知に基づいて、前記画像情報検出用カセッテが非使用状態であると判定するものであれば、使用者が外部装置と接続端子間の接続を外した場合等の非使用時の消費電力を少なくすることができる。
【００２４】
さらに、非使用状態判定手段が、無線通信手段の非通信状態を検知する前記非通信検知手段による非通信検知に基づいて、前記画像情報検出用カセッテが非使用状態であると判定するものであれば、画像情報検出用カセッテに設けられた無線通信手段が非通信状態となった場合、すなわち外部装置に接続された無線通信手段から離れた場所まで搬送された場合や、あるいは外部装置に接続された無線通信手段がオフになった場合等の非使用時の消費電力を少なくすることができる。
【００２５】
また、非使用状態判定手段が、直近の前記記録光の照射後の経過時間を計測し、該経過時間が所定時間を超えていることを検知する時間超過検知手段による時間超過検知に基づいて、前記画像情報検出用カセッテが非使用状態であると判定するものであれば、直前のＸ線照射後から、所定時間が経過しても次のＸ線照射が行われない場合、すなわち継続的にＸ線照射が行われない場合等の非使用時の消費電力を少なくすることができる。
【００２６】
さらに、前記電力供給抑制手段が前記検出部駆動手段または前記読出手段への電力供給を抑制していることを表示する電力供給抑制表示手段を備えれば、使用者は電力供給が抑制されていることを容易に知ることができる。
【００２７】
【発明の実施の形態】
以下、図面を参照して本発明の実施の形態について詳細に説明する。図１は本発明の第１の実施形態である画像情報検出用カセッテ１の外観図であり、図２は画像情報検出用カセッテ１の要部構成図および回路ブロック図を示す図である。本画像情報検出用カセッテ１は、医療用のＸ線撮影に用いられるものであり、略直方体のケース１０と、該ケース１０にとりつけられた取っ手１１と、該ケース１０内に収容された画像情報検出部１２と、読取光照射部１３と、制御回路部２０と、バッテリー３０とを有している。
【００２８】
画像情報検出部１２は、被写体を透過した記録光であるＸ線の照射により発生した電荷を潜像電荷として蓄積することにより、Ｘ線に担持された被写体の画像情報を記録するものであり、Ｘ線を透過する第１の電極層、Ｘ線の照射を受けることにより導電性を呈する記録用光導電層、潜像電荷に対しては略絶縁体として作用し、かつ潜像電荷と逆極性の輸送電荷に対しては略導電体として作用する電荷輸送層、読取光の照射を受けることにより導電性を呈する読取用光導電層、および読取光を透過する第２の電極層をこの順に積層してなるものである。
【００２９】
画像情報を記録する際には、第１の電極層と第２の電極層間に高電圧が印加され、電界が付与された状態で、第１の電極層側からＸ線が照射され、照射されたＸ線の線量に応じた量の電荷が記録用光導電層と電荷輸送層との略界面に形成される蓄電部に潜像電荷として蓄積される。また読出しの際には、読取光照射部１３から射出される読取光で画像情報検出部１２を走査することにより、画像情報検出部１２に記録された画像情報が読み出される。
【００３０】
制御回路部２０は、画像情報を記録する際に、画像情報検出部１２へ電界を付与する検出部駆動部２１と、読出光照射部１３により画像情報検出部１２を光走査し、画像情報検出部１２に記録された画像情報に応じた画像信号を読み出す走査・読出部２２と、バッファメモリとして主に使用される揮発性メモリ２３と、着脱可能な不揮発性メモリ２４と、バッテリー３０に接続され、後述する低消費モードが選択された場合には、各部位に供給する電力を抑制する電力供給抑制部２５と、検出部駆動部２１、走査・読出部２２、揮発性メモリ２３、不揮発性メモリ２４および電力供給抑制部２５と接続され、各部位の動作を制御する制御部２６とを有している。なお、走査・読出部２２および読取光照射部１３は、本発明の読出手段として機能するものである。
【００３１】
また、制御部２６は、非使用状態判定部２７を有し、取っ手１１が保持された場合に、保持信号を制御部２６の非使用状態判定部２７へ出力する取っ手保持検知部３１と、使用者により押圧された場合に解除信号を非使用状態判定部２７へ出力する解除スイッチ３２と、不図示のシステムコントローラに接続されたケーブルの接続端子９と接続可能な接続端子３３と、Ｘ線が照射された際に警報音を発するＸ線ブザー３４と、後述する低消費電力モードであることを表示する電力供給抑制表示手段としての低消費電力モード表示灯３５と、必要な情報、例えばＸ線レディ状態であること等を表示するマトリクス表示部３６と、必要に応じて読取光照射部１３を固定する光照射部ロック機構３７とに接続されている。なお、解除スイッチ３２はランプとしての機能も有し、押圧された場合には点灯する。
【００３２】
Ｘ線撮影の前には、撮影メニュー、ＩＤ情報、記録時に必要な印加電圧あるいは読出速度等の種々のデータがシステムコントローラから、接続端子９および接続端子３３を介して、制御部２６へ入力される。また、Ｘ線の照射準備が整った時からＸ線の照射後までの間はＸ線レディ信号が、Ｘ線の照射時にはＸ線照射信号がシステムコントローラから制御部２６へ入力される。画像情報の読み出しを行っている最中には、走査・読出部２２が、読出信号を非使用状態判定部２７へ出力する。
【００３３】
制御部２６の非使用状態判定部２７は、取っ手保持検知部３１から入力される保持信号に加え、解除スイッチ３２から入力される解除信号、接続端子３３から入力されるＸ線レディ信号、走査・読出部２２から入力される読出信号とに基づいて、画像情報検出用カセッテ１が非使用状態であるか使用状態であるかを判定する。
【００３４】
制御部２６は、非使用状態判定部２７において、画像情報検出用カセッテ１が非使用状態であると判定された場合には、電力モードとして、一部の部位のみへ電力を供給し、他の部位への電力供給を停止する低消費電力モードを設定し、低電力消費モード信号を電力供給抑制部２５を出力する。一方非使用状態判定部２７において、画像情報検出用カセッテ１が使用状態であると判定された場合には、電力モードとして、必要な全ての部位へ電力を供給する通常電力モードを設定して、通常電力モード信号を電力供給抑制部２５へ出力する。なお、制御部２６は、カセッテ１全般の動作の制御も行う。
【００３５】
電力供給用配線３８は、電力供給抑制部２５から、画像情報検出部１２、読取光照射部１３、検出部駆動部２１、走査・読出部２２、揮発性メモリ２３、不揮発性メモリ２４、制御部２７、取っ手保持検知部３１、解除スイッチ３２、Ｘ線ブザー３４、低消費電力モード表示灯３５およびマトリクス表示部３６へそれぞれ接続されている。通常電力モードにおいては、この電力供給用配線３８を介してバッテリー３０から各部位へ電力が供給されている。なお、図２において、図面の複雑化を防止するために、電力供給用配線３８の配線状態の記載は省略している。なお、バッテリー３０および電力供給用配線３８は、本発明の電力供給手段として機能するものである。
【００３６】
取っ手保持検知部３１は、図３に示すように、取っ手１１の保持部１１ａへ設けられ、通常は開状態に維持され、取っ手１１を保持すると自動的に閉状態となるスイッチ３１１と、該スイッチ３１１が閉状態になると保持信号を出力する検知部３１２とから構成されている。
【００３７】
以下本実施の形態における画像情報検出用カセッテ１における動作を説明する。まず、画像情報の記録および読み出し動作について説明を行う。Ｘ線撮影に先立ち、不図示のシステムコントローラから、撮影メニュー、ＩＤ情報、記録時に必要な印加電圧あるいは読出速度等の種々のデータが、制御部２６へ入力される。制御部２６は、これらの種々のデータを不揮発性メモリ２４へ保存し、必要に応じて読み出して使用する。なお、このような種々のデータを、予め記憶させた着脱可能な不揮発性メモリ２４を準備して、本画像情報検出用カセッテ１へ装着し、この不揮発性メモリ２４から必要に応じてデータを読み出してもよい。また、不揮発性メモリ２４には、撮影履歴のサムネール画像やエラーログ等を記憶させることもでき、カセッテ１が故障した場合等の故障解析に用いることができる。
【００３８】
Ｘ線の照射準備が整った時からＸ線の照射後までの間は、Ｘ線レディ信号が、不図示のシステムコントローラから接続端子３３を介して、制御部２６へ入力される。さらに、Ｘ線の照射時には、Ｘ線照射信号が制御部２６へ入力される。
【００３９】
Ｘ線レディ信号が制御部２６へ入力されると、制御部２６は、検出部駆動部２１を制御して、画像情報検出部１２へ記録用の高電圧を印加する。また、マトリクス表示部３６へＸ線レディ状態であることを表示する。
【００４０】
次に、被写体を透過したＸ線が照射され、照射されたＸ線の線量に応じた量の電荷が画像情報検出部１２へ、潜像電荷として蓄積される。なお、制御部２６は、Ｘ線が照射される際には、Ｘ線ブザー３４を作動させ、警報音を発して、Ｘ線の照射を報知する。
【００４１】
読み出しの際には、制御部２６は、走査・読出部２２を制御して、読取光照射部１３から射出される読取光で画像情報検出部１２を走査することにより、画像情報検出部１２に記録された画像情報を読み出し、まず揮発性メモリ２３へ保存し、その後順次不揮発性メモリ２４へ保存する。また、画像情報を読み出す場合や、画像情報へ画像処理を施す場合あるいは画像情報を転送する場合等、高速アクセスが必要な場合には、揮発性メモリ２３をバッファメモリとして使用することができる。なお、電源として外部電源を用いる場合には、内蔵バッテリーを別個に備え、外部電源を取り外す場合等、必要な場合には、内蔵バッテリーにより揮発性メモリへ電力を供給することが望ましい。また、低線量撮影を行った場合など、低ノイズによる読み出しが望ましい場合には、内蔵バッテリーを使用することにより、外部電源から重畳されるノイズを除去することができる。
【００４２】
例えば撮影線量に関する情報や撮影線量を推定できる情報（撮影する被写体の部位、撮影方法、撮影条件などに関する情報）を取得し、該情報から低線量撮影であるとみなすことができる場合に、内蔵バッテリーによる電力供給に切り換える形態が考えられる。この場合、前記形態は、前記情報に基づいて、撮影線量の値自体が低いか否かを判定し、撮影線量が低いと判定された時に、内蔵バッテリーによる電力供給に切り換えるものでもよく、あるいは予め前記情報と電力供給方式との対応関係を設定しておき、取得した情報と設定されている対応関係に基づいて、電力供給方式を切り換えるものでもよい。なお、どの程度の撮影線量を低線量とするかは、発生するノイズ量や、許容できるノイズの程度により適宜設定すればよい。
【００４３】
次に、電力モードの設定動作について説明する。まず、図４に示すフローチャートを用いて、非使用状態判定部２７における使用状態の判定動作について説明する。
【００４４】
ステップ１０１で、取っ手保持検知部３１から保持信号が入力されているか否かを判定する。入力されていなければステップ１０６へ進み、カセッテ１は使用状態であると判定する。入力されていればステップ１０２へ進む。ステップ１０２においては、走査・読出回路２２から読出信号が入力されているか否かを判定する。読出信号が入力されていれば、ステップ１０６へ進む。読出信号が入力されていなければ、ステップ１０３へ進む。
【００４５】
ステップ１０３では、外部のシステムコントローラからＸ線レディ信号が入力されているか否かを判定する。Ｘ線レディ信号が入力されていれば、ステップ１０６へ進む。Ｘ線レディ信号が入力されていなければ、ステップ１０４へ進む。
【００４６】
ステップ１０４では、解除スイッチ３２から解除信号が入力されているか否かを判定する。解除信号が入力されていれば、ステップ１０６へ進む。解除信号が入力されていなければ、ステップ１０５へ進む。
【００４７】
ステップ１０５では、非使用状態判定部２７は、カセッテ１は非使用状態であると判定し、判定結果を制御部２６へ出力する。その後ステップ１０１へ戻る。
【００４８】
ステップ１０６では、カセッテ１は使用状態であると判定し、判定結果を制御部２６へ出力し、その後ステップ１０１へ戻る。
【００４９】
上記の判定処理により、非使用状態判定部２７において、カセッテ１は使用状態であると判定されると、制御部２６は、通常電力モード信号を電力供給抑制部２５へ供給し、また光照射部ロック機構３７が作動している場合には、その作動を停止し、読取光照射部１３の固定を解除する。電力供給抑制部２５では、通常電力モード信号が入力されると、各部位へ電力を供給する。
【００５０】
一方、非使用状態判定部２７において、カセッテ１は非使用状態であると判定されると、制御部２６は、低消費電力モード信号を電力供給抑制部２５へ供給しする。低消費電力モード信号が入力されると、電力供給抑制部２５では、画像情報検出部１２、読取光照射部１３、検出部駆動部２１、不揮発性メモリ２４、Ｘ線ブザー３４、およびマトリクス表示部３６への電力供給を停止し、走査・読出部２２、揮発性メモリ２３、制御部２７、取っ手保持検知部３１、解除スイッチ３２、低消費電力モード表示灯３５へ電力を供給する。また、制御部２６は、低消費電力モード表示灯３５を点灯させ、光照射部ロック機構３７を作動させて、読取光照射部１３を固定する。
【００５１】
なお、走査・読出部２２および制御部２７への電力供給は、必ずしも通常と同様の電力供給を行う必要はなく、低消費電力モードを維持するために必要な回路のみへ電力を供給してもよいし、あるいは必要な回路に加えて、低消費電力モードが解除された場合に、直ちに通常電力モードへ移行するために動作させておくことが望ましい回路、例えば立ち上がりに時間がかかる回路等へ電力を供給し、他の回路への電力供給は停止してもよい。あるいは供給電圧を低下させてもよい。
【００５２】
上記のような制御動作により、取っ手保持検知部３１から取っ手保持信号が出力されていない場合には、ステップ１０１からステップ１０６へ進み、カセッテ１は使用状態であると判定され、電力モードとしては通常電力モードが設定される。
【００５３】
また、取っ手保持検知部３１から取っ手保持信号が出力されていても、画像情報を読み出し中であって、走査・読出回路２２から読出信号が出力されている場合には、ステップ１０２からステップ１０６へ進むため、カセッテ１は使用状態であると判定され、通常電力モードが設定される。
【００５４】
同様に、取っ手保持検知部３１から取っ手保持信号が出力されていても、Ｘ線撮影準備中であって、外部のシステムコントローラからＸ線レディ信号が出力されていれば、ステップ１０３からステップ１０６へ進むため、カセッテ１は使用状態であると判定され、通常電力モードが設定される。取っ手１１を保持した状態で、適切な位置へ画像情報検出用カセッテ１を固定して撮影を行う場合等に、上記のように取っ手保持信号とＸ線レディ信号とが同時に出力される場合がある。なお、前述したようにＸ線レディ信号が入力されている場合には、マトリクス表示部３６にＸ線レディ状態であることが表示される。
【００５５】
さらに、使用者が解除スイッチ３２を押圧すれば、解除信号が非使用状態判定部２７へ入力され、ステップ１０４からステップ１０６へ進むため、カセッテ１は使用状態であると判定され、通常電力モードへ設定される。なお、解除スイッチ３２は押圧により点灯するため、取扱者は解除スイッチ３２が押圧されていることを容易に認識することができる。
【００５６】
一方、例えば通常の搬送時等に、取っ手保持検知部３１から取っ手保持信号が出力され、走査・読出回路２２から読出信号が出力されていず、外部のシステムコントローラからＸ線レディ信号が出力されていず、解除スイッチ３２から解除信号が出力されていない場合、すなわち、画像情報検出用カセッテ１を使用していない場合には、ステップ１０１からステップ１０２、ステップ１０３、ステップ１０４およびステップ１０５へ進むため、カセッテ１は非使用状態であると判定され、電力モードとしては、低消費電力モードが設定される。このため、消費電力が少なくなる。
【００５７】
以上の説明で明かなように、本実施の形態における画像情報検出用カセッテ１においては、ケース１０に設けられた取っ手１１が保持されている事を検知する取っ手保持検知部３１による取っ手保持検知に基づいて、画像情報検出用カセッテ１が非使用状態であると判定され、自動的に電力供給が抑制される低電力消費モードが設定されるので、搬送時等の非使用時の消費電力を少なくすることができる。また、画像情報の読み出し中や、記録光（Ｘ線）の照射準備中あるいは使用者が解除スイッチ３２を押圧した際等には、画像情報検出用カセッテ１は使用中であると判定され、通常の電力供給が行われる通常電力モードが設定される。このため、画像情報の読み出し中や、取っ手１１を保持した状態でＸ線撮影を行う際等に、低消費電力モードが設定されてしまうことを防止でき、画像情報検出用カセッテ１の利便性を向上させることができる。
【００５８】
なお、本実施の形態においては、取っ手保持検知手段として、取っ手検知部３１を用いたがこれに限定されるものではなく、種々の構成を有する取っ手保持検知部を用いることができる。例えば図５の（Ａ）に示すように、取っ手１１の保持部１１ａに設けられた感熱器８０１と、該感熱器８０１の検知結果に基づいて保持信号を出力する検知部８０２とからなる取っ手保持検知部８０や、感熱器の代わりに赤外線検出器を用いた取っ手保持検知部を用いることもできる。取っ手１１が保持されて、感熱器８０１の温度が上昇した場合に、取っ手保持検知部８０から保持信号が出力される。また図５の（Ｂ）に示すように、取っ手１１の保持部１１ａに設けられた分割電極８１１と、該分割電極８１１の導通状態に基づいて保持信号を出力する検知部８１２を備えた取っ手保持検知部８１等を用いることができる。取っ手１１が保持されて、分割電極間８１１が電気的に接続された場合に、取っ手保持検知部８１から保持信号が出力される。また、図６の（Ａ）に示すように、取っ手１１の保持部１１ａに設けられた静電容量検出器８２１と、該静電容量検出器８２１の検知結果に基づいて保持信号を出力する検知部８２２とからなる取っ手保持検知部８２を使用することもできる。上記静電容量検出器８２１は、図６の（Ｂ）に示すように、保持部１１ａに設けられた誘電体層８２３および該誘電体層８２３の静電容量を読み出すトランジスタ８２４とから構成され、誘電体層８２３の静電容量の変動を検出するものである。取っ手１１が保持されて、上記誘電体層８２３の静電容量に変動が生じた場合に、取っ手保持検知部８２から保持信号が出力される。さらに、図７の（Ａ）に示すように、取っ手１１の一方の柄１１ｂの部分に赤外ＬＥＤ８３１を設け、他方の柄１１ｃの部分に、フォトコンダクタ８３２を設け、検知部８３３により、赤外ＬＥＤ８３１から射出される赤外線が遮断されたこと検知して、保持信号を出力する取っ手保持検知部８３や、図７の（Ｂ）に示すように、取っ手１１の柄１１ｂおよび１１ｃをケース１０の中に数ミリ差し込んだ状態で付勢し、取っ手１１を保持して持ち上げた場合に、上記付勢力に反して、閉状態となるスイッチ８４１を柄１１ｂの基部近傍に設け、検知部８４２により、該スイッチ８４１が閉状態となったことを検知する取っ手保持検知部８４等を用いることもできる。使用者が取っ手１１を保持してカセッテ１を持ち上げると、スイッチ８４１が閉状態となり、取っ手保持検知部８４から保持信号が出力される。
【００５９】
次に、図８を参照して本発明の第２の実施形態である画像情報検出用カセッテ２について説明する。図８においては、図２中の要素と同等の要素には同番号を付してあり、それらについての説明は特に必要の無い限り省略する。また、第２の実施の形態の外観は第１の実施形態とほぼ同様であるため、外観図は省略する。
【００６０】
図８は画像情報検出用カセッテ２の要部構成図および回路ブロック図を示す図である。制御回路部４０は、検出部駆動部２１と、走査・読出部２２と、揮発性メモリ２３と、着脱可能な不揮発性メモリ２４と、低消費電力モードが選択された場合には、各部位に供給する電力を抑制する電力供給抑制部４１と、検出部駆動部２１、走査・読出部２２、揮発性メモリ２３、不揮発性メモリ２４および電力供給抑制部４１とに接続され、各部位の動作を制御する制御部４２とを有している。
【００６１】
また、制御部４２は、非使用状態判定部４３を有し、解除スイッチ３２と、接続端子３３と、Ｘ線ブザー３４と、低消費電力モード表示灯３５と、マトリクス表示部３６と、光照射部ロック機構３７と、接続端子３３に接続端子９が接続されていない場合に非接続信号を出力する非接続検知部４４とに接続されている。
【００６２】
Ｘ線撮影の前には、撮影メニュー、ＩＤ情報、記録時に必要な印加電圧あるいは読出速度等の種々のデータがシステムコントローラから、接続端子９および接続端子３３を介して、制御部４２へ入力される。Ｘ線の照射準備が整った時からＸ線の照射後までの間は、システムコントローラからＸ線レディ信号が制御部４２および非使用状態判定部４３へ入力される。また、Ｘ線の照射時には、システムコントローラからＸ線照射信号が制御部４２へ入力される。画像信号の読み出しを行っている最中には、走査・読出部２２が、読出信号を非使用状態判定部４３へ出力する。
【００６３】
制御部４２の非使用状態判定部４３は、非接続検知部４４から入力される非接続信号に加え、解除スイッチ３２から入力される解除信号と、走査・読出部２２から入力される読出信号とに基づいて、画像情報検出用カセッテ２が非使用状態であるか使用状態であるかを判定する。
【００６４】
制御部４２は、非使用状態判定部４３において、画像情報検出用カセッテ２が使用状態であると判定された場合には、電力の供給モードとして、各部位へ電力を供給している通常電力モードを設定し、画像情報検出用カセッテ２が非使用状態であると判定された場合には、電力の供給モードとして、一部の部位のみへ電力を供給し、他の部位への電力供給を停止する低消費電力モードを設定する。また、カセッテ２の動作全般を制御する。
【００６５】
電力供給用配線４５は、電力供給抑制部４１から、画像情報検出部１２、読取光照射部１３、検出部駆動部２１、走査・読出部２２、揮発性メモリ２３、不揮発性メモリ２４、制御部４２、解除スイッチ３２、Ｘ線ブザー３４、低消費電力モード表示灯３５、マトリクス表示部３６および非接続検知部４４へそれぞれ接続されている。通常電力モードにおいては、電力供給用配線４５を介してバッテリー３０から各部位へ電力が供給されている。なお、図８において、図面の複雑化を防止するために、電力供給用配線４５の配線状態の記載は省略している。なお、バッテリー３０および電力供給用配線４５は、本発明の電力供給手段として機能する。
【００６６】
以下、本実施の形態における画像情報検出用カセッテ２における動作を説明する。画像情報の記録および読出動作は第１の実施の形態とほぼ同様であるため、説明を省略し、電力モードの設定動作について説明する。まず、非使用状態判定部４３における使用状態の判定動作について、図９に示すフローチャートを用いて説明する。
【００６７】
ステップ２０１では、非接続検知部４４から非接続信号が入力されているか否かを判定する。入力されていなければステップ２０５へ進み、カセッテ２は使用状態であると判定する。入力されていればステップ２０２へ進む。ステップ２０２においては、走査・読出回路２２から読出信号が入力されているか否かを判定する。読出信号が入力されていれば、ステップ２０５へ進む。読出信号が入力されていなければ、ステップ２０３へ進む。
【００６８】
ステップ２０３では、解除スイッチ３２から解除信号が入力されているか否かを判定する。解除信号が入力されていれば、ステップ２０５へ進む。解除信号が入力されていなければ、ステップ２０４へ進む。
【００６９】
ステップ２０４では、カセッテ２は非使用状態であると判定し、その後ステップ２０１へ戻る。
【００７０】
ステップ２０５では、カセッテ２は使用状態であると判定し、その後ステップ２０１へ戻る。
【００７１】
上述の判定処理により、非使用状態判定部４３において、カセッテ２は使用状態であると判定されると、制御部４２は、通常電力モード信号を電力供給抑制部４１へ供給する。電力供給抑制部４１では、通常電力モード信号を受けて、各部位へ電力を供給する。なお、光照射部ロック機構３７が作動している場合には、その作動を停止し、読取光照射部１３の固定を解除する。
【００７２】
非使用状態判定部４３において、カセッテ２は非使用状態であると判定されると、制御部４２は、低消費電力モード信号を電力供給抑制部４１へ供給する。電力供給抑制部４１では、低消費電力モード信号を受けて、画像情報検出部１２、読取光照射部１３、検出部駆動部２１、不揮発性メモリ２４、Ｘ線ブザー３４、およびマトリクス表示部３６への電力供給を停止し、走査・読出部２２、揮発性メモリ２３、制御部４２、非接続検知部４４、解除スイッチ３２、低消費電力モード表示灯３５へ電力を供給する。また、制御部４２は、低消費電力モード表示灯３５を点灯させ、光照射部ロック機構３７を作動させて、読取光照射部１３を固定する。
【００７３】
なお、走査・読出部２２および制御部４２への電力供給は、必ずしも通常と同様に電力供給を行う必要はなく、電力供給が必要な回路あるいは望ましい回路のみへ電力を供給し、他の回路への電力供給は停止してもよい。
【００７４】
上記のような制御動作により、接続端子３３に接続端子９が接続され、非接続検知部４３から非接続信号が出力されていない場合には、ステップ２０１からステップ２０５へ進み、カセッテ２は使用状態であると判定され、電力モードとしては通常電力モードが設定される。
【００７５】
また、接続端子３３から接続端子９がはずされ、非接続検知部４３から非接続信号が出力されていても、画像情報を読み出し中であって、走査・読出回路２２から読出信号が出力されている場合には、ステップ２０２からステップ２０５へ進むため、カセッテ２は使用状態であると判定され、電力モードとしては通常電力モードが設定される。
【００７６】
さらに、接続端子９が接続端子３３から外されている場合であっても、使用者が解除スイッチ３２を押圧すれば、解除信号が非使用状態判定部４３へ入力され、ステップ２０３からステップ２０５へ進むため、カセッテ２は使用状態であると判定され、電力モードとしては通常電力モードが設定される。
【００７７】
一方、接続端子３３から接続端子９が外されて、非接続検知部４４から非接続検知信号が出力され、走査・読出回路２２から読出信号が出力されていず、解除スイッチ３２から解除信号が出力されていない場合、すなわち、画像情報検出用カセッテ２を使用していない場合には、ステップ２０１から順次ステップ２０２、ステップ２０３およびステップ２０４へと進み、カセッテ２は非使用状態であると判定され、電力モードとしては、低消費電力モードが設定される。このため、消費電力は少なくなる。
【００７８】
以上の説明で明かなように、本実施の形態における画像情報検出用カセッテ２においては、接続端子３３から接続端子９が外されていることを検知する非接続検知部４４による非接続検知に基づいて、画像情報検出用カセッテ２が非使用状態であると判定され、自動的に電力供給が抑制される低電力消費モードが設定されるので、接続端子９が外された搬送時等の非使用時の消費電力を少なくすることができる。また、画像情報の読み出し中や、使用者が解除スイッチ３２を押圧した際等には、画像情報検出用カセッテ２は使用中であると判定され、通常の電力供給が行われる通常電力モードが設定される。このため、画像情報の読み出し中や、使用者が低消費電力モードを望まない場合に、低消費電力モードが設定されてしまうことが防止され、画像情報検出用カセッテ２の利便性を向上させることができる。
【００７９】
なお、本実施の形態においては、Ｘ線照射部および画像情報検出用カセッテ２を制御するシステムコントローラに接続されている接続端子９がカセッテ２の接続端子３３に接続されているか否かを検知して、その検知結果に基づいて電力モードを設定したが、接続端子の種類は、接続端子３３および接続端子９に限定されるものではなく、通常、カセッテを使用する場合には接続され、使用しない場合には外される接続端子であればいかなる接続端子であってもよい。例えばＸ線照射装置に接続され、Ｘ線照射信号を受ける接続端子や、外部に設けられた電源からの電力供給を受ける端子などあってもよい。なお、外部からの電源供給を受ける端子を用いた場合には、この端子を外した場合に電力を供給する内蔵バッテリも備えることが好ましい。
【００８０】
次に、図１０を参照して本発明の第３の実施形態である画像情報検出用カセッテ３について説明する。図１０においては、図２中の要素と同等の要素には同番号を付してあり、それらについての説明は特に必要の無い限り省略する。また、また、第３の実施の形態の外観は第１の実施形態とほぼ同様であるため、外観図は省略する。
【００８１】
図１０は画像情報検出用カセッテ３の要部構成図および回路ブロック図を示す図である。制御回路部５０は、検出部駆動部２１と、走査・読出部２２と、揮発性メモリ２３と、着脱可能な不揮発性メモリ２４と、低消費電力モードが選択された場合には、各部位に供給する電力を抑制する電力供給抑制部５１と、検出部駆動部２１、走査・読出部２２、揮発性メモリ２３、不揮発性メモリ２４および電力供給抑制部５１とに接続され、各部位の動作を制御する制御部５２とを有している。
【００８２】
また、制御部５２は、非使用状態判定部５３を有し、解除スイッチ３２と、不図示のシステムコントローラに接続された無線通信部８と種々のデータの送受信を行う無線通信部５４と、Ｘ線ブザー３４と、低消費電力モード表示灯３５と、マトリクス表示部３６と、光照射部ロック機構３７と、無線通信部５４が無線通信部８と通信可能であるか否かを検知し、通信可能でない場合には非通信信号を出力する非通信検知部５５とに接続されている。
【００８３】
Ｘ線撮影の前には、撮影メニュー、ＩＤ情報、記録時に必要な印加電圧あるいは読出速度等の種々のデータがシステムコントローラの無線通信部８から、無線通信部５４を介して、制御部５２へ入力される。Ｘ線の照射準備が整った時からＸ線の照射後までの間は、無線通信部５４を介してＸ線レディ信号が制御部５２および非使用状態判定部５３へ入力される。また、Ｘ線の照射時には、無線通信部５４を介してＸ線照射信号が制御部５２へ入力される。画像信号の読み出しを行っている最中には、走査・読出部２２が、読出信号を非使用状態判定部５３へ出力する。
【００８４】
制御部５２の非使用状態判定部５３は、非通信検知部５５から入力される非通信信号に加え、解除スイッチ３２から入力される解除信号、走査・読出部２２から入力される読出信号とに基づいて、画像情報検出用カセッテ３が非使用状態であるか使用状態であるかを判定するものである。
【００８５】
制御部５２は、非使用状態判定部５３において、画像情報検出用カセッテ３が使用状態であると判定された場合には、電力の供給モードとして、各部位へ電力を供給している通常電力モードを設定し、画像情報検出用カセッテ３が非使用状態であると判定された場合には、電力の供給モードとして、一部の部位のみへ電力を供給し、他の部位への電力供給を停止する低消費電力モードを設定する。また、カセッテ３の動作全般を制御する。
【００８６】
なお、電力供給は、電力供給用配線５６を介して行われ、バッテリー３０および電力供給用配線５６は、本発明の電力供給手段として機能するものである。
【００８７】
以下、第２の実施の形態における非接続検知部４４の代わりに非通信検知部５５が使用され、非接続信号の代わりに非通信信号が使用されることを除くと、第２の実施の形態と同様であるため、動作に関する詳細な説明は省略する。
【００８８】
本実施の形態においては、無線通信部５４と無線通信部８の間の無線通信が可能な場合には、カセッテ３は使用状態であると判定され、電力モードとしては通常電力モードが設定される。
【００８９】
また、画像情報検出用カセッテ３が、無線通信部８から離れた場所へ搬送された場合や、あるいは無線通信部８のスイッチが切られた場合等には、通信が不可能となり、非通信検知部５５から非接続信号が出力されるが、画像情報を読み出し中であって、走査・読出回路２２から読出信号が出力されている場合には、カセッテ３は使用状態であると判定され、電力モードとしては通常電力モードが設定される。
【００９０】
さらに、無線通信が不可能な場合であっても、画像情報検出用カセッテ３を使用したい場合には、使用者が解除スイッチ３２を押圧すれば、解除信号が非使用状態判定部５３へ入力され、カセッテ３は使用状態であると判定され、電力モードとしては通常電力モードが設定される。
【００９１】
一方、通信が不可能となって、非通信検知部５５から非通信信号が出力され、走査・読出回路２２から読出信号が出力されていず、解除スイッチ３２から解除信号が出力されていない場合、すなわち、画像情報検出用カセッテ３を使用していない場合には、カセッテ３は非使用状態であると判定され、電力モードとしては、低消費電力モードが設定される。このため、消費電力が少なくなる。
【００９２】
以上の説明で明かなように、本実施の形態における画像情報検出用カセッテ３においては、無線通信部５４が無線通信部８と通信不可能であることを検知する非通信検知部５４による非通信検知に基づいて、画像情報検出用カセッテ３が非使用状態であると判定され、自動的に電力供給が抑制される低電力消費モードが設定されるので、無線通信が不可能となる距離に搬送された場合等の非使用時の消費電力を少なくすることができる。また、画像情報の読み出し中や、使用者が解除スイッチ３２を押圧した際等には、画像情報検出用カセッテ３は使用中であると判定され、通常の電力供給が行われる通常電力モードが設定される。このため、画像情報の読み出し中や、使用者が低消費電力モードを望まない場合に、低消費電力モードが設定されてしまうことを防止でき、画像情報検出用カセッテ３の利便性を向上させることができる。
【００９３】
次に、図１１を参照して本発明の第４の実施形態である画像情報検出用カセッテ４について説明する。図１１においては、図２中の要素と同等の要素には同番号を付してあり、それらについての説明は特に必要の無い限り省略する。なお、第４の実施の形態の外観は第１の実施形態とほぼ同様であるため、外観図は省略する。図１１は画像情報検出用カセッテ４の要部構成図および回路ブロック図を示す図である。制御回路部６０は、検出部駆動部２１と、走査・読出部２２と、揮発性メモリ２３と、着脱可能な不揮発性メモリ２４と、低消費電力モードが選択された場合には、各部位に供給する電力を抑制する電力供給抑制部６１と、検出部駆動部２１、走査・読出部２２、揮発性メモリ２３、不揮発性メモリ２４および電力供給抑制部６１とに接続され、各部位の動作を制御する制御部６２とを有している。
【００９４】
また、制御部６２は、解除スイッチ３２と、接続端子３３と、Ｘ線ブザー３４と、低消費電力モード表示灯３５と、マトリクス表示部３６と、光照射部ロック機構３７とに接続され、また非使用状態判定部６３と、直近のＸ線照射からの経過時間を計測し、この経過時間が予め設定されている所定時間を越えている場合に時間超過検知信号を非使用状態判定部６３へ出力する時間超過検知部６４とに接続されている。
【００９５】
Ｘ線撮影の前には、撮影メニュー、ＩＤ情報、記録時に必要な印加電圧あるいは読出速度等の種々のデータがシステムコントローラから、接続端子９および接続端子３３を介して、制御部６２へ入力される。Ｘ線の照射準備が整った時からＸ線の照射後までの間は、システムコントローラからＸ線レディ信号が制御部６２および非使用状態判定部６３へ入力される。また、Ｘ線の照射時には、システムコントローラからＸ線照射信号が制御部６２へ入力される。
【００９６】
制御部６２の非使用状態判定部６３は、時間超過検知部６４から入力される時間超過信号に加え、解除スイッチ３２から入力される解除信号および接続端子３３から入力されるＸ線レディ信号に基づいて、画像情報検出用カセッテ４が非使用状態であるか否かを判定するものである。
【００９７】
制御部６２は、非使用状態判定部５６において、画像情報検出用カセッテ４が、使用状態であると判定された場合には、電力の供給モードとして、各部位へ電力を供給している通常電力モードを設定し、画像情報検出用カセッテ４が非使用状態であると判定された場合には、電力の供給モードとして、一部の部位のみへ電力を供給し、他の部位への電力供給を停止する低消費電力モードを設定する。また、カセッテ４の動作全般を制御する。
【００９８】
電力供給用配線６５は、電力供給抑制部６１を介して、画像情報検出部１２、読取光照射部１３、検出部駆動部２１、走査・読出部２２、揮発性メモリ２３、不揮発性メモリ２４、制御部２７、解除スイッチ３２、Ｘ線ブザー３４、低消費電力モード表示灯３５およびマトリクス表示部３６へ接続され、通常電力モードにおいては、バッテリー３０から電力供給用配線６５を介して各部位へ電力が供給されている。なお、図１１においては、図面の複雑化を防止するために、電力供給用配線６５の配線状態の記載は省略している。なお、バッテリー３０および電力供給用配線６５は、本発明の電力供給手段として機能するものである。
【００９９】
以下本実施の形態における画像情報検出用カセッテ４における動作を説明する。画像情報の記録および読出動作は第１の実施の形態とほぼ同様であるため、説明を省略し、電力モードの設定動作について説明する。まず、非使用状態判定部６３における使用状態の判定動作について、図１２に示すフローチャートを用いて説明する。
【０１００】
なお、時間超過検知部６４においては、所定時間としては、通常のＸ線撮影を継続的に行っている場合には、１回のＸ線照射から次のＸ線照射までの経過時間がこの所定時間を超えることがない時間が予め設定されている。また画像情報の読み出しもこの所定時間内には終了する。
【０１０１】
ステップ３０１では、時間超過検知部６４から時間超過信号が入力されているか否かを判定する。入力されていなければステップ３０５へ進み、カセッテ４は使用状態であると判定する。入力されていればステップ３０２へ進む。ステップ３０２においては、システムコントローラからＸ線レディ信号が入力されているか否かを判定する。Ｘ線レディ信号が入力されていれば、ステップ３０５へ進む。Ｘ線レディ信号が入力されていなければ、ステップ３０３へ進む。
【０１０２】
ステップ３０３では、解除スイッチ３２から解除信号が入力されているか否かを判定する。解除信号が入力されていれば、ステップ３０５へ進む。解除信号が入力されていなければステップ３０４へ進む。
【０１０３】
ステップ３０４では、非使用状態判定部６３は、カセッテ４は非使用状態であると判定し、判定結果を制御部６２へ出力する。その後ステップ３０１へ戻る。
【０１０４】
ステップ３０５では、カセッテ４が使用状態であると判定し、判定結果を制御部６２へ出力し、その後ステップ３０１へ戻る。
【０１０５】
上記の判定処理により、非使用状態判定部６３において、カセッテ４は使用状態であると判定されると、制御部６２は、通常電力モード信号を電力供給抑制部６１へ供給する。電力供給抑制部６１では、各部位へ電力を供給する。なお、光照射部ロック機構３７が作動している場合には、その作動を停止し、読取光照射部１３の固定を解除する。
【０１０６】
非使用状態判定部６３において、カセッテ４は非使用状態であると判定されると、制御部６２は、低消費電力モード信号を電力供給抑制部６１へ供給する。電力供給抑制部６１では、画像情報検出部１２、読取光照射部１３、検出部駆動部２１、不揮発性メモリ２４、Ｘ線ブザー３４、およびマトリクス表示部３６への電力供給を停止し、走査・読出部２２、揮発性メモリ２３、制御部６２、解除スイッチ３２、低消費電力モード表示灯３５へ電力を供給する。また、制御部６２は、低消費電力モード表示灯３５を点灯させ、光照射部ロック機構３７を作動させて、読取光照射部１３を固定する。
【０１０７】
なお、走査・読出部２２および制御部６２への電力供給は、必ずしも通常と同様の電力供給である必要はなく、低消費電力モードを維持するために電力供給が必要な回路のみ、あるいは必要な回路に加え、電力を供給することが望ましい回路へ電力を供給し、他の回路への電力供給は停止してもよい。
【０１０８】
上記のような制御動作により、直前のＸ線照射から経過時間が所定時間を超過していない場合は、カセッテ４は使用状態であると判定され、電力モードとしては通常電力モードが設定される。
【０１０９】
また、直前のＸ線照射から経過時間が所定時間を超過し、時間超過検知部６３から時間超過信号が出力されていても、Ｘ線レディ信号が入力されている場合や、使用者が解除スイッチ３２を押圧した場合等には、ステップ３０５へ進むため、カセッテ４は使用状態であると判定され、電力モードとしては通常電力モードが設定される。
【０１１０】
一方、直前の読み出し動作終了後からの経過時間が、所定時間を超過して、時間超過検知部６４から時間超過信号が出力され、システムコントローラからＸ線レディ信号が出力されていず、解除スイッチ３２から解除信号が出力されていない場合、すなわち、画像情報検出用カセッテ４を使用していない場合には、ステップ３０１から順次ステップ３０２、ステップ３０３およびステップ３０４へと進むため、カセッテ４は非使用状態であると判定され、電力モードとしては、低消費電力モードが設定される。このため、消費電力が少なくなる。
【０１１１】
以上の説明で明かなように、本実施の形態における画像情報検出用カセッテ４においては、直前のＸ線照射からの経過時間が所定時間を超えていることを検知する時間超過検知部６４による時間超過検知に基づいて、画像情報検出用カセッテ４が非使用状態であると判定され、自動的に電力供給が抑制される低電力消費モードが設定されるので、長時間カセッテ４を使用しない場合等の消費電力を少なくすることができる。また、Ｘ線レディ信号が入力された場合や、使用者が解除スイッチ３２を押圧した際等には、画像情報検出用カセッテ４は使用中であると判定され、通常の電力供給が行われる通常電力モードが設定される。このため、Ｘ線レディ信号が入力された場合や、使用者が低消費電力モードを望まない場合に、低消費電力モードが設定されてしまうことを防止でき、画像情報検出用カセッテ４の利便性を向上させることができる。
【０１１２】
なお、各実施の形態においては、低消費電力モードが設定された際には、走査・読出部２２への電力供給は維持したが、走査・読出部への電力供給も停止してもよい。また、検出部駆動部２１への電力供給は停止したが、走査・読出部２２への電力供給を低減または停止する場合には、検出部駆動部２１への電力供給を維持してもよい。すなわち、走査・読出部２２または検出部駆動部２１への電力供給の少なくとも一部を低減あるいは停止して、電力消費量を少なくすればよい。また、低消費電力モードの際には、低消費電力モード表示灯３５が点灯されるため、使用者は電力モードが、電力供給が抑制されている低消費電力モードであることを容易に知ることができる。また、光照射部ロック機構３７により読取光照射部１３が固定されるため、搬送時などに読取光照射部１３が振動して破損する虞が低減する。なお、カセッテの電源をオフにする際にも、同様に光照射部ロック機構３７により読取光照射部１３を固定することが望ましい。
【０１１３】
また、電力供給抑制部は、独立した一つのブロックとして設けられたが、これに限定されるものではなく、例えば制御部内に設けられているものであってもよいし、各部位にばらばらに組み込まれているものであってもよい。すなわち、所望の部位へ供給する電力を抑制するものであれば、その形態はいかなる形態であってもよい。また、本発明の各実施形態を適宜組み合わせて実施してもよい。
【０１１４】
なお、各実施の形態においては、画像情報検出部として直接変換・光読み出し方式の画像情報検出部１２を用いたが、これに限定されるものではなく、記録光が照射されることにより蛍光体から発せられた蛍光を記録用光電層に照射し、該照射された蛍光を光電変換して得た信号電荷を蓄積する間接変換方式の画像情報検出部も利用することができる。また、記録光の照射により導電性を呈する光導電層において発生した電荷をＴＦＴを走査駆動させることにより読み出す方式の画像情報検出部等も利用することができる。
【図面の簡単な説明】
【図１】本発明の第１の実施形態である画像情報検出用カセッテの外観図
【図２】図１に示す画像情報検出用カセッテの要部構成図および回路ブロック図
【図３】取っ手保持検知部の説明図
【図４】図１に示す画像情報検出用カセッテの動作の流れを示すフローチャート
【図５】取っ手保持検知部の説明図
【図６】取っ手保持検知部の説明図
【図７】取っ手保持検知部の説明図
【図８】本発明の第２の実施形態である画像情報検出用カセッテの要部構成図および回路ブロック図
【図９】図８に示す画像情報検出用カセッテの動作の流れを示すフローチャート図
【図１０】本発明の第３の実施形態である画像情報検出用カセッテの要部構成図および回路ブロック図
【図１１】本発明の第３の実施形態である画像情報検出用カセッテの要部構成図および回路ブロック図
【図１２】図１１に示す画像情報検出用カセッテの動作の流れを示すフローチャート図
【符号の説明】
１      画像情報検出用カセッテ
１０    ケース
１１    取っ手
１２    画像情報検出部
１３    読取光照射部
２０、４０、５０、６０    制御回路部
２１    検出部駆動部
２２    走査・読出部
２３    揮発性メモリ
２４    不揮発性メモリ
２５、４１、５１、６１    電力供給抑制部
２６    制御部
２７、４３、５３、６３    非使用状態判定部
３０    バッテリー
３１、８０、８１、８２、８３、８４    取っ手保持検知部
３２    解除スイッチ
３３    接続端子
３４    Ｘ線ブザー
３５    低消費電力モード表示灯
３６    マトリクス表示部
３７    光照射部ロック機構
３８、４５、５６、６５    電力供給用配線
４４    非接続検知部
５４    無線通信部
５５    非通信検知部
６４    時間超過検知部
【図１】
2005003756.tif 000003
【図２】
2005003756.tif 000004
【図３】
2005003756.tif 000005
【図４】
2005003756.tif 000006
【図５】
2005003756.tif 000007
【図６】
2005003756.tif 000008
【図７】
2005003756.tif 000009
【図８】
2005003756.tif 000010
【図９】
2005003756.tif 000011
【図１０】
2005003756.tif 000012
【図１１】
2005003756.tif 000013
【図１２】
2005003756.tif 000014